(57)【特許請求の範囲】
【請求項１】
集配信システムからの加工対象電文を事前加工処理して組版システムに送信するフォーマット変換機能付き電文接続処理装置において、
前記加工対象電文の種類ごとに予め定める事前加工処理を行うとともに、前記加工対象電文が選挙電文以外の場合には前記組版システムに送信する電文加工処理手段と、
前記加工対象電文が選挙区を意味するユーザＩＤをもつ選挙電文の場合には各選挙区ごとに当該選挙電文を蓄積するとともに、同一のユーザＩＤの選挙電文を受けたとき、当該選挙電文の開票時間が同一開票時間又は前回開票時間よりも時間が経過した後の開票時間である場合、前記ユーザＩＤに基づいて対応する選挙区の選挙電文に今回の開票時間の選挙電文を上書き処理する選挙電文蓄積処理手段と、
予め定めた複数の選挙区の組合せを意味する接続ユーザＩＤ群に基づいて複数の選挙電文を所定の規則に従って接続し、かつこの接続された選挙電文に接続ユーザＩＤ、各選挙区ごとの開票時間および予め定める規則に従う並び替え情報が付加された接続選挙電文を作成し、前記組版システムに送信する電文接続処理手段とを備えたことを特徴とする電文接続処理装置。
【請求項２】
集配信システムから送られてくる加工対象電文のうち、選挙電文を接続処理するプログラムを記録する記録媒体であって、コンピュータに、
予め定めた前記加工対象電文の種類ごとに所定の事前加工処理を行うとともに、前記加工対象電文が選挙電文以外の場合には前記組版システムに送信する電文加工機能と、前記加工対象電文が選挙区を意味するユーザＩＤをもつ選挙電文の場合には各選挙区ごとに当該選挙電文を蓄積するとともに、同一のユーザＩＤの選挙電文を受けたとき、当該選挙電文の開票時間が同一開票時間又は前回開票時間よりも時間が経過した後の開票時間である場合、前記ユーザＩＤに基づいて対応する選挙区の選挙電文に今回の開票時間の選挙電文を上書き処理する選挙電文蓄積機能と、予め定めた複数の選挙区の組合せを意味する接続ユーザＩＤ群に基づいて複数の選挙電文を所定の規則に従って接続し、かつこの接続された選挙電文に接続ユーザＩＤ、各選挙区ごとの開票時間および予め定める規則に従う並び替え情報が付加された接続選挙電文を作成し、前記組版システムに送信する電文接続機能とを実現させるための前記プログラムを記録した前記コンピュータ読取り可能な記録媒体。
【発明の詳細な説明】
【０００１】
【発明の属する技術分野】
本発明は複数の選挙電文を接続して電文数を削減する電文接続処理装置および記録媒体に関する。
【０００２】
【従来の技術】
従来、新聞製作システムを用いて、選挙電文の開票記事処理は、迅速、かつ、正確であることが必要不可欠である。
そこで、この種のシステムでは、選挙電文に対するフォーマット変換装置を用い、以下のような電文の事前加工を行った後、組版システムに割り込むことにより、組版側でのオペレーションの負荷軽減を図っている。
【０００３】
このフォーマット変換装置による選挙電文の事前加工処理は、集配信システムから送られてくる選挙区ごと・開票時間ごとにユーザＩＤ（識別情報）、候補者氏名、得票数その他の必要事項を記載した１つの選挙電文ごとに自動受信し、この自動受信された選挙電文は、本文テキストに合ったフォーマット変換加工の他、並べ替え情報を付加し、組版システムに送信する。並べ替え情報とは組版システムでの組版処理において得票数に従ってテキストに候補者の経歴電文を流せるように機能する情報をいう。なお、この経歴電文は予め組版システム側に保存されている。
【０００４】
一方、組版システムは、並べ替え情報に従い、かつ、オペレータの指示のもとに，（１）候補者の名簿記事データを作成する処理、（２）候補者の経歴記事の流し処理を行う。なお、名簿記事データは各候補者の名前および当選者情報のみを定義し、管理情報として用いられる。
【０００５】
【発明が解決しようとする課題】
ところで、以上のようなシステムにおいては、集配信システムから順次送られてくる各選挙区の選挙電文に関し、フォーマット変換装置にて事前加工処理を連続的に行うことから、集配信システムから多量の選挙電文が連続的に送信されてきたとき、フォーマット変換装置では、事前加工処理後の各選挙電文ごとに組版システムに割り込むので、組版システムのスペックダウンとなる。特に、最近では小選挙区制度に伴う選挙電文数の増大化による影響は従来の倍以上の処理時間を必要とする。
【０００６】
また、フォーマット変換装置とホスト機能をもつ組版システムとの間のネットワーク上に多くの選挙電文を流すことから、通信負荷が増大し、通信性能の劣化を招く問題がある。
【０００７】
さらに、組版システムでは、選挙電文数の増大に伴い、得票数に従って候補者の経歴電文等の並び替え処理が多くなり、処理性能が低下する。
さらに、選挙電文数の増大に伴い、オペレーションに多くの負担がかかり、画面処理が低下する問題がある。
【０００８】
本発明は上記事情にかんがみてなされたもので、選挙電文の蓄積によって選挙電文の管理処理を実現する電文接続処理装置を提供することにある。
また、本発明の他の目的は、選挙電文の接続によって電文数の削減を図り、ネットワークの通信負荷軽減および組版処理のスペック向上を図る電文接続処理装置を提供することにある。
さらに、本発明は、選挙電文の接続による電文数の削減処理を実現するプログラムを記録する記録媒体を提供することにある。
【０００９】
【課題を解決するための手段】
上記課題を解決するために、本発明は、集配信システムからの加工対象電文を事前加工処理して組版システムに送信するフォーマット変換機能付き電文接続処理装置において、前記加工対象電文の種類ごとに予め定める事前加工処理を行うとともに、前記加工対象電文が選挙電文以外の場合には前記組版システムに送信する電文加工処理手段と、前記加工対象電文が選挙区を意味するユーザＩＤをもつ選挙電文の場合には各選挙区ごとに当該選挙電文を蓄積するとともに、同一のユーザＩＤの選挙電文を受けたとき、当該選挙電文の開票時間が同一開票時間又は前回開票時間よりも時間が経過した後の開票時間である場合、前記ユーザＩＤに基づいて対応する選挙区の選挙電文に今回の開票時間の選挙電文を上書き処理する選挙電文蓄積処理手段と、予め定めた複数の選挙区の組合せを意味する接続ユーザＩＤ群に基づいて複数の選挙電文を所定の規則に従って接続し、かつこの接続された選挙電文に接続ユーザＩＤ、各選挙区ごとの開票時間および予め定める規則に従う並び替え情報が付加された接続選挙電文を作成し、前記組版システムに送信する電文接続処理手段とを設けた構成である。
【００１０】
本発明は以上のような構成とすることにより、電文加工処理手段により加工処理された選挙電文を、選挙電文蓄積処理手段によって選挙区ごとに当該選挙電文を蓄積することにより、組版システムに常時割り込みを入力する必要がなく、通信負荷の軽減および組版システムの処理負荷の軽減を図ることができる。また、選挙電文蓄積処理手段は、選挙区を意味するユーザＩＤをもつ選挙電文を受けた場合、当該選挙電文の開票時間が同一開票時間又は前回開票時間よりも時間が経過した後の開票時間である場合、前記ユーザＩＤに基づいて対応する選挙区の選挙電文に当該ユーザＩＤの選挙電文を上書き処理するので、開票状況に従って各選挙区の選挙電文を確実、かつ正確に更新することが可能となる。
さらに、予め定めた複数の選挙区の組合せを意味する接続ユーザＩＤ群に基づいて複数の選挙電文を所定の規則に従って接続するので、予め定める所望の選挙区をまとめて組版システムに送信するので、選挙電文数を大幅に削減でき、組版処理のスペック向上及び選挙並び替え処理の性能を高めることができる。
【００１１】
また、複数の選挙電文を予め定めた規則に従って接続し、組版システムに送信するので、選挙電文数が大幅に削減され、しかも組版システムへの割り込みが少くなり、組版処理のスペックの向上に貢献できる。
【００１２】
また、別の発明は、集配信システムから送られてくる加工対象電文のうち、選挙電文を接続処理するプログラムを記録する記録媒体であって、コンピュータに、予め定めた前記加工対象電文ごとに所定の事前加工処理を行うとともに、前記加工対象電文が選挙電文以外の場合には前記組版システムに送信する電文加工機能と、前記加工対象電文が選挙区を意味するユーザＩＤをもつ選挙電文の場合には各選挙区ごとに当該選挙電文を蓄積するとともに、同一のユーザＩＤの選挙電文を受けたとき、当該選挙電文の開票時間が同一開票時間又は前回開票時間よりも時間が経過した後の開票時間である場合、前記ユーザＩＤに基づいて対応する選挙区の選挙電文に今回の開票時間の選挙電文を上書き処理する選挙電文蓄積能と、予め定めた複数の選挙区の組合わせを意味する接続ユーザＩＤ群に基づいて複数の選挙電文を所定の規則に従って接続し、かつこの接続された選挙電文に接続ユーザＩＤ、各選挙区ごとの開票時間および予め定める規則に従う並び替え情報が付加された接続選挙電文を作成し、前記組版システムに送信する電文接続機能とを実現させるための前記プログラムを記録した前記コンピュータ読取り可能な記録媒体を提供する。
【００１３】
このような記憶媒体によれば、処理状況に合わせて選挙電文を適宜時蓄積でき、予め定める組合わせに従って複数の選挙電文を接続し選挙電文数を少くして組版システムに自動送信できる一連の処理を実現できる。
【００１４】
【発明の実施の形態】
以下、本発明に係わる電文接続処理装置の実施の形態について図面を参照して説明する。
図１は電文接続処理装置を備えた新聞製作のシステムの全体構成を示す図である。
【００１５】
このシステムは、各選挙区をもつ地方からＩＳＤＮなどのネットワークを介して集められる各選挙区ごとの候補者の選挙結果情報をもとに放送局や通信社から各選挙区ごと・開票時間ごとの選挙電文を収集し配信する集配信システム１と、この集配信システム１にネットワーク２を介して接続され、集配信システム１から送られてくる各選挙区の選挙電文を含む各種の電文を事前加工処理するフォーマット変換装置（以下、電文接続処理装置という）３と、この集配信システム１および電文接続処理装置３にネットワーク２を介して接続され、電文接続処理装置３から送られてくる事前加工処理された電文を予め定めるレイアウトに従ってレイアウト処理し、さらに印刷用フィルムを作成し出力する組版システム４とによって構成されている。
【００１６】
前記集配信システム１に対しては、例えばワープロを用いて電文情報を入力し、選挙電文を含む各種の電文を作成してもよい。ここで、１つの選挙電文とは、図２に示すように選挙区（イ）ごとおよび開票時間（ロ）ごとに，ユーザＩＤ（ハ）、各候補者（ニ）、得票数（ホ）などを記述したものをいう。
【００１７】
前記電文接続処理装置３は、従来から存在する一般の電文および選挙電文の事前加工処理機能の他、各選挙区の選挙電文を例えば北海道地区、東北６県などをまとめる接続処理を行う選挙電文接続処理機能などが設けられている。
【００１８】
前記組版システム４は、電文接続処理装置３によって事前加工処理および選挙電文接続処理した後の選挙電文を並び替え情報（ヘ）に基づいて適宜並び替えてレイアウト処理し印刷用の写真製版する機能をもっている。
【００１９】
図３は電文接続処理装置３と組版システム４との電文の授受および電文接続処理装置３の一実施形態である機能構成を示す図である。なお、図示点線矢印は本発明の通常の処理の流れおよび従来の選挙電文の流れを示し、図示実線は本発明による選挙電文の流れを示す。
【００２０】
組版システム４は、集配信システム１からの選挙電文を受信し、自身のホスト通信処理部４１の送信部を介して電文接続処理装置３に送信する。
この電文接続処理装置３は、組版システム４からの一般電文および選挙電文を受信する受信部および接続処理によって複数の選挙区を接続した選挙電文を組版システム４に送信する送信部をもつ通信処理部３１と、この通信処理部３１の受信部により受信された一般電文および選挙電文の事前加工処理を実行する電文加工処理部３２と、この事前加工処理された電文のうち、選挙電文の場合には各選挙区ごとの選挙電文を、各選挙区ごとのファイルやフォルダ等の電文蓄積部３３に蓄積処理する選挙用電文蓄積処理部３４と、この選挙用電文蓄積処理部３４によって蓄積処理された電文蓄積部３３の各選挙区ごとの複数の選挙電文を予め定める規則に従って接続処理し送信部を介して組版システム４側に送信する電文接続処理部３５と、外部からの指示のもとに電文接続処理部３５に内蔵される接続データテーブル（図示せず）の接続データを修正処理する電文管理処理部３６とが設けられている。３７は接続中や接続語の選挙電文を一時記憶する電文データ記憶部である。
【００２１】
次に、以上のような装置の動作について説明する。
通常、集配信システム１からの電文は組版システム４を介して電文接続処理装置３に送られる。この電文接続処理装置３の通信処理部３１は、組版システム４のホスト通信処理部４１に電文の有無を確認する。ここで、電文有りのとき、その電文を受信し、電文加工処理部３２に渡す。
【００２２】
この電文加工処理部３２は、何れの加工対象電文かを判断し、加工対象電文の種類ごとに予め定める事前加工処理，例えば選挙電文の場合には電文中の本文テキストに合った加工処理を行い、さらに並び替え情報を付加する。そして、加工対象電文が選挙電文の場合には選挙用電文蓄積処理部３４を起動し、選挙電文以外の電文の場合には通信処理部３１を介して組版システム４に送信する。
【００２３】
この選挙用電文蓄積処理部３４は、選挙電文の開票時間（ロ）をキーとし、電文蓄積部３３の各選挙区のファイルまたはフォルダに分けて蓄積する。この電文蓄積部３３では、ユーザＩＤ（ハ）を用いて、電文の管理を行う。このユーザＩＤ（ハ）は各選挙区ごとに予め決められている。選挙区とユーザＩＤとは対の関係にある。
【００２４】
従って、選挙用電文蓄積処理部３４は、同一のユーザＩＤ（ハ）の選挙電文を受けたとき、例えば開票時間（ロ）を調べ、同一の開票時間または前回開票時間よりも時間が経過した後の開票時間の場合には、ユーザＩＤに基づいて電文蓄積部３３の該当ファイルまたはフォルダに選挙電文を上書き処理する。
【００２５】
以上のようにして開票状況に従って各選挙区の選挙電文を電文蓄積部３３に蓄積した後または電文蓄積処理部３４からの指示を受け、或いは予めタイマに設定された時間に達したとき、電文接続処理部３５が電文接続処理を実行する。
【００２６】
この電文接続処理部３５には図示されていないが例えば北海道全区の選挙区をまとめるとか、東北６県をもとめるとか、或いは県単位にまとめるとかの接続ユーザＩＤ（選挙区）群がテーブル化されている。
【００２７】
そこで、電文接続処理部３５は、テーブルから予め定められる接続ユーザＩＤ群を読み出し、また複数のユーザＩＤをまとめた接続ユーザＩＤを決定する。この接続ユーザＩＤとは例えば北海道１区のユーザＩＤ＝Ａ０１、北海道２区のユーザＩＤ＝Ａ０２、北海道３区のユーザＩＤ＝Ａ０３とすると、例えば北海道全区をまとめたたユーザＩＤ＝Ａ１０とするごとくである。
【００２８】
ところで、所要とする複数の選挙区の電文を接続するが、このとき接続パターンとして予め複数種類用意し、その接続パターンに従って接続する。この接続パターンとは、例えば予め定める激戦区をまとめるとか、都市部の選挙区をまとめるとか種々考えられる。
【００２９】
そこで、電文接続処理部３５としては、オペレーションによる開票時間をキーとし、前記テーブルの接続ユーザＩＤ群に従って、電文蓄積部３３から選挙電文をサーチする。つまり、接続ユーザ群に対し、キーとなる開票時間から最も近い過去の時間への選挙電文をサーチし、例えば次のような規定に従って各選挙電文を接続し、図４に示すような接続選挙電文を作成する。
（１）  先ず、選挙電文の中の共同用ヘッダーａ，ｂは取決めに基づいて１つにまとめる。例えば共同用ヘッダーは最初の電文の共同用ヘッダーａ（接続順の１番目の「ヘッダーＳ」）を採用する。ユーザＩＤは前述したように接続後のユーザＩＤに置き換える。
（２）  仮見出しは各選挙区の番号の順番に開票時間を並べる。
（３）  並べ替え情報は予め定める規則に従って付加する。
（４）  本文は各選挙区の順番に各選挙区の本文をそのまま連続接続し、電文データ記憶部３７に一時記憶する。
（５）  図４に示すような接続選挙電文を送信する。
【００３０】
従って、以上ような実施の形態によれば、集配信システム１から送られてくる電文のうち、選挙電文の場合には各選挙区ごとに各開票時間の選挙電文を蓄積するので、ネットワーク２および組版システム４に多くの電文が流れたり、割り込んだりすることがなく、電文管理処理が容易となり、通信負荷の低減ひいては通信の利用効率を高めることができ、またシステム４の負荷軽減に役立つ。
【００３１】
また、複数の選挙電文を接続して組版システム４に送信するので、選挙電文数を大幅に削減でき、組版処理のスペック向上および選挙並べ替え処理の性能を高めることができる。
【００３２】
次に、本発明に係わる記録媒体について図５および図６を参照して説明する。図５は記録媒体をもつ電文接続処理装置３の中の電文接続に関係する部分のハード構成図である。この図において図３と同一機能構成部分は同一符号を付してその説明は省略する。
【００３３】
具体的には、電文接続処理用プログラムを記録する記録媒体４１、電文蓄積部３３、電文データ記憶部３７、予め選挙電文を接続するための電文接続データが設定されている接続データテーブル４２、表示装置４３および入力機器４４の他、記録媒体４１に記録されるプログラムを読み取って所定の機能を実現するＣＰＵで構成された電文接続処理部４５等によって構成されている。
【００３４】
なお、記録媒体４１は、一般的にはＣＤ−ＲＯＭが用いられるが、それ以外には例えば磁気テープ、磁気ディスク、ＤＶＤ−ＲＯＭ、フロッピーディスク、ＭＯ、ＭＤ、ＣＤ−Ｒ、メモリカードなどを用いてもよい。
【００３５】
この電文接続処理部４５としては、集配信システム１から組版システム４を介して電文を受信すると、その加工対象電文ごとに定められる事前加工処理を実施するとともに、加工対象電文が選挙電文か選挙電文以外の電文かを判断し、選挙電文以外の電文の場合には通常の電文と判断し、組版システム４に送信する電文加工機能と、この電文加工機能において加工対象電文が選挙区を意味するユーザＩＤをもつ選挙電文であると判断されたとき、各選挙区ごとに各開票時間の選挙電文をファイル，フォルダー等の電文蓄積部３３に蓄積する選挙電文蓄積機能と、予め接続データテーブル４２に設定される接続ユーザＩＤ群に基づいて複数の選挙電文を接続し、この接続された選挙電文を前記組版システムに送信する電文接続機能とを実現する。
【００３６】
この電文接続処理部４５は記録媒体４１に記録されるプログラムを読み取って図６に示すような処理を行う。すなわち、電文接続処理部４５は、組版システム４に対して電文の有無を確認する。電文有りの場合、自身において電文受信有りかを判断し（Ｓ１）、電文受信有りの場合には加工対象電文を判断し、この加工対象電文ごとに予め定められる組版システム４の事前加工処理を実施する（Ｓ２）。
【００３７】
この事前加工処理後の加工対象電文が選挙電文か他の電文かを判断し（Ｓ３）、選挙電文以外の場合には組版システム４に送信する。選挙区を意味するユーザＩＤをもつ選挙電文の場合には、このユーザＩＤに従って各選挙区ごとに各開票時間の選挙電文をファイル，フォルダー等の電文蓄積部３３に蓄積していく（Ｓ４）。
【００３８】
しかる後、オペレータの指示や予め設定されるタイマの設定時間に達したとき、接続処理を開始する（Ｓ５）。この接続処理は、接続データテーブル４２の接続ユーザＩＤ群を読み出し、また接続後のユーザＩＤを決定する（Ｓ６）。この接続後ユーザＩＤは予め決定しておくか、或いは各接続ユーザＩＤから自動的に決定するようにしてもよい。例えば各ユーザＩＤがＡ０１〜Ａ０５のとき、接続後ユーザＩＤはＡ１０とするなどである。この状態において接続ユーザ群に対し、オペレーションによるキーとなる開票時間から最も近似する過去の開票時間の選挙電文をサーチし（Ｓ７）、予め定める規定に従って各選挙電文を接続し、図４に示すような接続選挙電文を作成する（Ｓ８）。そして、接続完了か否かを判断し（Ｓ９）、接続完了の場合には接続された選挙電文を組版システム４に送信する（Ｓ１０）。
【００３９】
従って、以上のようなプログラムを記録した記録媒体を用いれば、複数の選挙電文の蓄積から予め定める複数の選挙電文を接続することにより、各選挙電文ごとに頻繁に組版システム４に送信する必要がなく、選挙電文を適切に管理でき、ネットワークへの転送頻度が少くなり、組版システムへの割り込み回数が減り、通信の効率的利用を確保でき、かつ、システム４システム４の負荷軽減に大きく貢献する。
【００４０】
【発明の効果】
以上説明したように本発明によれば、選挙電文の蓄積によって管理処理が容易になり、また選挙電文の接続によって選挙電文数を大幅に削減でき、組版処理のスペック向上を図ることができる。
さらに、本発明によれば、選挙電文の接続によって選挙電文数の削減を実現できる記録媒体を提供できる。
【図面の簡単な説明】
【図１】  本発明に係わる電文接続処理装置を備えた新聞製作のシステムの全体構成を示す図。
【図２】  集配信システムから送られてくる１つの選挙電文の一例を示す図。
【図３】  本発明に係わる電文接続処理装置の一実施の形態を示す機能構成図。
【図４】  本発明に係わる電文接続処理装置により処理された接続後の選挙電文の一例を示す図。
【図５】  記録媒体をもつ電文接続処理装置のハード構成を示す図。
【図６】  コンピュータが記録媒体に記録されるプログラムを読み取って処理するフローチャート。
【符号の説明】
１…集配信システム
３…電文接続処理装置（フォーマット変換装置）
４…組版システム
３２…電文加工処理部
３３…電文蓄積部
３４…電文蓄積処理部
３５…電文接続処理部
【図１】
0003708720.tif 000002
【図２】
0003708720.tif 000003
【図３】
0003708720.tif 000004
【図４】
0003708720.tif 000005
【図５】
0003708720.tif 000006
【図６】
0003708720.tif 000007